(57)【要約】  本発明は、自動車両用の電気的な流体温度調節装置（１）に関し、前記装置（１）が少なくとも２つのサーマルモジュール（３ａ，３ｂ）を備え、該サーマルモジュールは、両方のサーマルモジュール（３ａ，３ｂ）で共有される方向の流体の平行な流れを得るように配置され、サーマルモジュール（３ａ，３ｂ）は、−筐体（１３ａ，１３ｂ）と、−コア（１１ａ，１１ｂ）であって、該コア（１１ａ，１１ｂ）と筐体（１３ａ，１３ｂ）との間に流体のためのガイド回路（１５ａ，１５ｂ）を画定するように筐体（１３ａ，１３ｂ）の内側に配置されるコア（１１ａ，１１ｂ）とを備える。本発明によれば、サーマルモジュール（３ａ，３ｂ）のコア（１１ａ，１１ｂ）は、流体を加熱するための少なくとも１つの電気手段（１７）を、電気加熱手段（１７）とガイド回路（１５ａ，１５ｂ）内を流れることができる流体との間の熱伝達を可能にするべく備える。
2016536197.tif 000002
【特許請求の範囲】
【請求項１】
自動車両用の流体を熱的に調節するための電気装置（１）であって、前記装置（１）が少なくとも２つのサーマルモジュール（３ａ，３ｂ）を備え、該サーマルモジュールが、これらの２つのサーマルモジュール（３ａ，３ｂ）内で共通の方向の流体の平行な流れを得るように配置され、前記サーマルモジュール（３ａ，３ｂ）が、
−筐体（１３ａ，１３ｂ）と、
−コア（１１ａ，１１ｂ）であって、該コア（１１ａ，１１ｂ）と前記筐体（１３ａ，１３ｂ）との間に流体のためのガイド回路（１５ａ，１５ｂ）を画定するように前記筐体（１３ａ，１３ｂ）の内側に配置されるコア（１１ａ，１１ｂ）と、
を備える電気装置（１）において、
サーマルモジュール（３ａ，３ｂ）の前記コア（１１ａ，１１ｂ）は、流体を加熱するための少なくとも１つの電気手段（１７）を、前記電気加熱手段（１７）と前記ガイド回路（１５ａ，１５ｂ）内を流れることができる流体との間の熱伝達を可能にするべく備えることを特徴とする電気装置（１）。
【請求項２】
前記コア（１１ａ，１１ｂ）は、セラミック材料などの電気的に絶縁する熱伝導材料から形成される前記電気加熱手段（１７）のための支持体（１９）を備える請求項１に記載の装置。
【請求項３】
前記電気加熱手段（１７）が少なくとも１つの抵抗トラックを備え、前記コア（１１ａ，１１ｂ）は、前記抵抗トラック上に配置されてセラミック材料などの電気的に絶縁する熱伝導材料から形成される保護膜を備える請求項１又は請求項２に記載の装置。
【請求項４】
前記保護膜は、前記電気加熱手段（１７）のための前記支持体（１９）と同じ材料から形成される請求項２又は請求項３に記載の装置。
【請求項５】
前記コア（１１ａ，１１ｂ）は、関連する前記電気加熱手段（１７）を制御するための手段（５）に接続され得るとともに対応する前記コア（１１ａ，１１ｂ）の前記支持体（１９）の材料上にオーバーモールドされる２つの端子（２５）をそれぞれ有する請求項２に記載の装置。
【請求項６】
２つの前記サーマルモジュール（３ａ，３ｂ）の前記コア（１１ａ，１１ｂ）を加熱するための前記電気手段（１７）が共通の制御手段（５）に電気的に接続される請求項１から５のいずれか一項に記載の装置。
【請求項７】
前記制御手段（５）は、少なくとも１つの前記コア（１１ａ，１１ｂ）の一方の端部と対向して配置される請求項５又は請求項６に記載の装置。
【請求項８】
前記筐体（１３ａ，１３ｂ）は、対応するコア（１１ａ，１１ｂ）を受けるための少なくとも２つの座部（２９ａ，２９ｂ）を有する単一ブロック（２７）の形態を成して形成される請求項１から７のいずれか一項に記載の装置。
【請求項９】
前記流体ガイド回路（１５ａ，１５ｂ）とそれぞれ連通するとともに長手方向軸線（Ａ）に沿う前記装置（１）の両側で互いに正反対に配置される少なくとも１つの流体入口パイプ（３８）及び少なくとも１つの流体出口パイプ（４３）を備える請求項１から８のいずれか一項に記載の装置。
【請求項１０】
請求項１から９のいずれか一項に記載の流体を熱的に調節するための少なくとも１つの装置（１）を備えることを特徴とする自動車両用の加熱及び／又は空調設備。
【発明の詳細な説明】
【技術分野】
【０００１】
本発明は、自動車両用の流体を熱的に調節するための電気装置に関する。特に、本発明は電気加熱装置から成る。本発明は、特に、自動車両の加熱及び／又は空調システムに適用できる。
【背景技術】
【０００２】
通常、自動車両の車室を暖めるようになっている或いは霜取り又は除氷も行うようになっている空気の再加熱は、熱交換器を通過する空気流によって、より正確には空気流と流体との間の熱交換によって達成される。前記流体は、一般に、ヒートエンジンの場合には冷却流体から成る。
【０００３】
しかしながら、この加熱方法は、車両の車室の素早い効率的な暖房を確保する、特に非常に低温の状態で車両を使用する前に或いは温度の非常に迅速な上昇が求められるときに車室の再暖房又は霜取り又は除氷を確保するのに不適当である或いは不十分であると判明する場合がある。
【０００４】
また、電気車両の場合、加熱機能は、もはや熱交換器内の冷却流体の循環によって行われない。車室を暖めるための水回路を想起できる。しかしながら、この加熱方法は、車両の車室の素早い効率的な暖房を確保するのに不適当又は不十分であると判明する場合もある。
【０００５】
また、付加的な水回路の体積及びコストを減らすために、電気車両においてヒートポンプとして動作する空調ループを使用することも知られている。したがって、空調ループは、従来のように冷却流体を用いて空気流を冷却できるようにすることにより、この場合には空気流を再加熱するために使用される。この目的のため、凝縮器など、空調ループの蒸発器を使用することが都合良い。
【０００６】
しかしながら、この加熱方法は、不適当又は不十分であることが判明する場合もある。実際に、ヒートポンプとして作用するときの空調ループの性能は、外部温度条件に依存する。例えば、外気が非常に低い温度を有するときには、この空気を熱エネルギー源として使用することができない。
【０００７】
従来技術のこれらの欠点を克服するために、既知の解決策は、流体を熱的に調節するための更なる電気装置、例えば電気加熱装置等を熱交換器に或いは水回路に或いは空調ループにも付加することにある。
【０００８】
そのような電気加熱装置は、ヒートエンジンのための冷却液、又は、電気車両の車室を暖めるための水回路ための水、或いはまた、空調ループの冷却流体など、上流側の流体を加熱するようになっていてもよい。
【０００９】
既知の態様において、流体を熱的に調節するための付加的な電気装置は、例えば加熱されるべき流体と接触する１つ以上のサーマルモジュールを備える。
【００１０】
より正確には、サーマルモジュールは、コアと、コアを取り囲む円筒状の筐体の形態を成す加熱要素とを備えてもよく、それにより、コアと円筒状の筐体との間に流体のためのガイド回路を画定する。したがって、円筒状の筐体は熱エネルギー源である。
【００１１】
既知の解決策によれば、加熱要素は、電気加熱手段、例えば加熱要素の外面上の抵抗トラックの形態を成すシルクスクリーン印刷によりもたらされる１つ以上の加熱抵抗を有する。
【００１２】
しかしながら、コアと円筒状の筐体との間のガイド回路内の流体の軸方向流れは、円筒状の筐体と流体との間の熱伝達を減少させる。
【００１３】
したがって、加熱要素と、コアと加熱要素との間を流れる流体との間の熱交換の効率を高めるために、円筒状の筐体の形態を成す加熱要素の軸線と平行な流体の流れを回避することが好ましい。
【００１４】
既知の解決策は、ガイド回路内を流れる流体の螺旋状の動きをもたらすことである。このようにすると、例えば円筒状の筐体の形態を成す加熱要素とこの円筒状の筐体内を流れる流体との間の熱交換が増大される。
【００１５】
これを達成するために、コアの外面に略螺旋状の溝を設けることが提案されてきた。この螺旋状の溝は、熱伝達を高めるために流体の渦を引き起こすことができる。しかしながら、そのような解決策では、流体ガイド回路の入口における速度の均一性の欠如及び高いヘッドロスが指摘されてきた。また、そのようなコアは、このようにすると、複雑な形態を有する。
【００１６】
更に、幾つかのサーマルモジュール、例えば並んで配置される２つのサーマルモジュールを備える電気加熱装置の場合には、電気加熱装置の熱効率を向上させるために、装置のサーマルモジュール間で釣り合いのとれた流体流量及び流体温度を有することが重要である。
【発明の概要】
【発明が解決しようとする課題】
【００１７】
本発明は、熱的性能を簡単な態様で向上させることができる流体のための温度調節装置を提案することにより、従来技術のこれらの欠点を少なくとも部分的に克服することを目的とする。
【課題を解決するための手段】
【００１８】
この目的を達成するために、本発明は、自動車両用の流体を熱的に調節するための電気装置であって、前記装置が少なくとも２つのサーマルモジュールを備え、該サーマルモジュールが、２つのサーマルモジュール内で共通の方向の流体の平行な流れを得るように配置され、サーマルモジュールが、
−筐体と、
−コアであって、該コアと筐体との間に流体のためのガイド回路を画定するように筐体の内側に配置されるコアとを備え、
サーマルモジュールのコアが、流体を加熱するための少なくとも１つの電気手段を、電気加熱手段とガイド回路内を流れることができる流体との間の熱伝達を可能にするべく備えることを特徴とする電気装置に関する。
【００１９】
したがって、そのような温度調節装置を用いて、加熱されるべき流体のためのガイド回路中に電気加熱手段を浸漬することにより行われる流体の加熱は、熱伝達を向上させることができ、したがって、電気加熱手段が流体ガイド回路の外側の筐体上に配置される既知の解決策よりも良好な性能を得ることができる。
【００２０】
また、２つのサーマルモジュール内の独立する共通の方向の流体流れを得るためのサーマルモジュールの配置は、特にサーマルモジュールの一方が故障した場合に、装置の信頼性を向上させることができる。
【００２１】
更に、流体の流量は、２つのサーマルモジュール内で均一である。
【００２２】
本発明の１つの態様によれば、コアは、セラミック材料などの電気的に絶縁する熱伝導材料から形成される電気加熱手段のための支持体を備える。
【００２３】
実施形態の一例によれば、電気加熱手段が少なくとも１つの抵抗トラックを備え、また、コアは、抵抗トラック上に配置されてセラミック材料などの電気的に絶縁する熱伝導材料から形成される保護膜を備える。
【００２４】
保護膜は、例えば、電気加熱手段のための支持体と同じ材料から形成される。
【００２５】
したがって、コアは、熱的性能を変えることなく、流体に対する電気的絶縁を確保しつつ、加熱されるべき流体の回路内に電気加熱手段を設置できるようにする。これは、コアが、加熱されるべき流体に対する電気加熱手段の熱伝導率を高めるのに役立つからである。
【００２６】
本発明の他の態様によれば、コアは、関連する電気加熱手段を制御するための手段に接続され得るとともに対応するコアの支持体の材料上にオーバーモールドされる２つの端子をそれぞれ有する。コアに取り付けられる電気加熱手段を制御手段に接続するためのインタフェース又は更なるケーブルを設ける必要がない。
【００２７】
実際に、コアは、それぞれの支持体の材料上にオーバーモールドされて電流を電気加熱手段に伝えることができるようにする端子を介して電気加熱手段の制御手段に対して直接に接続されてもよい。
【００２８】
また、装置は、単独で或いは組み合わせて考慮される以下の特徴、すなわち、
−２つのサーマルモジュールのコアを加熱するための電気手段が共通の制御手段に電気的に接続される；
−制御手段が少なくとも１つのコアの一方の端部と対向して配置される；
−筐体は、対応するコアを受けるための少なくとも２つの座部を有する単一ブロックの形態を成して形成される、のうちの１つ以上を備えてもよい。
【００２９】
本発明の他の態様によれば、前記装置は、流体ガイド回路とそれぞれ連通するとともに長手方向軸線に沿う装置の両側で互いに正反対に配置される少なくとも１つの流体入口パイプ及び少なくとも１つの流体出口パイプを備える。コアの長手方向軸線に沿う装置の両側での流体入口及び流体出口のこの正反対の配置は、自動車両における設置を容易にする。
【００３０】
また、この配置は、２つのサーマルモジュールのガイド回路における共通方向の流体流れを可能にする。この方向が自動車両における装置の設置に関連して下から上の方へ向かうと、気泡が流体ガイド回路内に形成されてサーマルモジュールの性能を変え得るリスクが減少される。
【００３１】
また、本発明は、先に規定されるような流体を熱的に調節するための電気装置を備えることを特徴とする自動車両用の加熱及び／又は空調設備にも関連する。
【００３２】
本発明の更なる特徴及び利点は、非限定的な一例として与えられる以下の説明を読むことにより及び添付図面から更に明確に分かる。
【図面の簡単な説明】
【００３３】
【図１】自動車両用の電気流体加熱装置を概略的且つ簡略的な形態で示す。
【図２】図１に示される加熱装置の分解図である。
【図３】図１及び図２に示される加熱装置の断面図である。
【発明を実施するための形態】
【００３４】
これらの図では、同一の要素が同じ参照数字を有する。
【００３５】
図１は、自動車両の加熱及び／又は空調設備用の流体のための電気加熱装置など、流体を熱的に調節するための装置１を示す。
【００３６】
温度調節装置１は、例えば、車室を暖めるための車両の流体加熱回路内に配置される流体の加熱を可能にする付加的な加熱装置である。
【００３７】
一例によれば、温度調節装置１は、冷却流体を加熱するために、ヒートポンプとして機能することができる空調ループの熱交換器の上流側に配置される。
【００３８】
他の例によれば、温度調節装置１は、ヒートエンジンの冷却流体を熱伝導流体として使用する熱交換器の上流側に配置される。
【００３９】
そのような温度調節装置１は、電気推進車両用又はハイブリッド車両用の時としてバッテリパック又は燃料電池と称される電気エネルギー蓄積装置の温度調節を目的とした熱交換器の上流側に設けることもできる。
【００４０】
ここで、図２及び図３を参照して、温度調節装置１について更に詳しく説明する。
【００４１】
温度調節装置１は、少なくとも１つの第１のサーマルモジュール３ａと、第２のサーマルモジュール３ｂとを備える。無論、温度調節装置１は、要件に応じて、３つ以上のサーマルモジュール３ａ，３ｂを備えてもよい。
【００４２】
サーマルモジュール３ａ，３ｂの電力供給を制御するために、温度調節装置１は少なくとも１つの制御手段５も備える。記載される実施形態によれば、温度調節装置１は、２つのサーマルモジュール３ａ，３ｂの電力供給を制御するための共通の制御手段５を備える。
【００４３】
図示の温度調節装置１は流体入口７と流体出口９とを更に備える。
【００４４】
サーマルモジュール３ａ，３ｂが同一であってもよい。
【００４５】
図２及び図３に示される実施形態に係る２つのサーマルモジュール３ａ，３ｂは、略平行な態様で並んで配置される。並列配置に起因して、加熱装置１の長手方向における体積を減らすことができる。この配置は、制限された温度調節慣性と、少ない熱損失とをもたらす。
【００４６】
また、２つのサーマルモジュール３ａ，３ｂは、平行な共通の方向の流体流れを２つのサーマルモジュール３ａ，３ｂ内で達成するように配置される。一例として、流体は、図１〜図３に示されるレイアウトにしたがって２つのサーマルモジュール３ａ，３ｂ内を下から上へと流れることができる。
【００４７】
この配置は、２つのサーマルモジュール３ａ，３ｂが流体流れに関して独立しているため、特に興味深い。したがって、例えば、サーマルモジュールのうちの一方３ａ又は３ｂが故障した場合、これが他方のサーマルモジュールの性能に影響を与えない。そのため、流体が最初に一方のサーマルモジュールの内側で流れた後に他方のサーマルモジュールの内側で流れる従来技術の解決策とは異なり、第１のサーマルモジュールの故障が第２のサーマルモジュールの性能の損失をもたらさない。
【００４８】
また、図３に概略的に示されるように流体が下から上へと向かう方向で流れる場合、これは、関与するサーマルモジュールの過熱を引き起こす危険がある気泡のサーマルモジュール内での形成を防止するのに役立つ。
【００４９】
図３を参照すると、サーマルモジュール３ａ，３ｂはそれぞれ、コア１１ａ，１１ｂと、関連するコア１１ａ又は１１ｂを取り囲む筐体１３ａ，１３ｂとを備える。したがって、コア１１ａ，１１ｂは、関連する筐体１３ａ，１３ｂ内に配置される。コア１１ａ，１１ｂはそれぞれ中心コア１１ａ，１１ｂである。
【００５０】
中心コア１１ａ，１１ｂ及び関連する筐体１３ａ，１３ｂは、例えば加熱されるべき流体のためのガイド回路１５ａ，１５ｂをそれぞれ中心コア１１ａ又は１１ｂと関連する筐体１３ａ又は１３ｂとの間に画定する。したがって、中心コア１１ａ又は１１ｂの外面及び関連する筐体１３ａ及び１３ｂの内面は、流体、この例では加熱されるべき流体のための流れ容積を画定する。
【００５１】
コア１１ａ，１１ｂは、例えば略円柱状であり、長手方向軸線Ａに沿って延びる。
【００５２】
コア１１ａ，１１ｂは、略一定の断面或いは代わりにテーパ状の断面を有してもよい。略一定の断面の中心コア１１ａ，１１ｂの場合、流体は、関連するガイド回路１５ａ，１５ｂ内で一定の速度を伴って流れることができる。一方、テーパ状の断面の場合には、流速がガイド回路１５ａ，１５ｂに沿って変化される。
【００５３】
サーマルモジュール３ａ，３ｂのコア１１ａ又は１１ｂはそれぞれ、記載される例によれば、２つの長手方向両側の端部、すなわち、流体入口側に配置される第１の端部と、流体出口側に配置される反対側の第２の端部とを有する。
【００５４】
本発明によれば、コア１１ａ，１１ｂはそれぞれ電気加熱手段１７を備える。電気加熱手段１７は、コア１１ａ，１１ｂと該コア１１ａ，１１ｂが浸漬される流体との間の熱交換によってガイド回路１５ａ又は１５ｂ内を流れる流体を加熱するように制御手段５によって制御され得る。
【００５５】
したがって、ガイド回路１５ａ，１５ｂは、コア１１ａ又は１１ｂを加熱するための１又は複数の電気手段１７の周囲に形成される。そのため、加熱は、ガイド回路１５ａ又は１５ｂ内を流れる加熱されるべき流体中に電気加熱手段１７を浸漬させることによって行われる。この実施形態により、電気加熱手段１７によって生み出される熱は、加熱されるべき流体へ直接に伝えられ、それにより、熱損失が最小限に抑えられるとともに、装置１の熱慣性が減少される。流体が急速に加熱されてもよい。
【００５６】
また、コア１１ａ又は１１ｂの外面は、長手方向軸線Ａと平行な軸方向ガイド回路を形成するべく溝を伴わなくてもよい。
【００５７】
実際に、熱伝達を向上させるために流体の−例えば螺旋状の−流れを与えることはもはや必要ない。これは、加熱されるべき流体の体積中に電気加熱手段１７を浸漬させることにより既に熱伝達の向上が確保されるからである。
【００５８】
また、コア１１ａ，１１ｂはそれぞれ、例えば、電気加熱手段１７のための支持体１９を有する。
【００５９】
したがって、支持体１９は、例えば前述したような加熱を行うために、温度調節装置１内に電気加熱手段１７を配置できるようにする機能を有する。
【００６０】
支持体１９は、電気的に絶縁するが熱を伝導する材料から形成される。
【００６１】
支持体１９は、本体２１と、本体２１の一端にある、より正確にはコア１１ａ，１１ｂの第１の端部の領域にある基部又は座部２３とを有してもよい。
【００６２】
基部２３は、図示の例では、流体入口７が位置される側に配置される。
【００６３】
本体２１は略円柱形状を有してもよく、また、基部２３は例えば略円形形状を有する。本体２１は、例えば、固体円柱などの固体である。
【００６４】
電気加熱手段１７は、例えば、支持体１９上に、より正確には支持体１９の本体２１上に形成される少なくとも１つの電気抵抗トラックを有してもよい。
【００６５】
また、記載される実施形態によれば、コア１１ａ，１１ｂは、いずれの場合にも、電気抵抗トラック上に配置される保護膜（図では見えない）を有する。前記膜は、例えば、抵抗トラックを保護するために支持体１９の周囲に巻回される可撓性膜から成る。この保護膜は、熱を伝導する電気絶縁材料から形成される。好適には、前記材料は、支持体１９の材料と同じ材料、例えばセラミック材料である。
【００６６】
支持体１９及び保護膜は、電気加熱手段１７とコア１１ａ，１１ｂの周囲の流体との間の熱伝達を助けるという更なる機能を有する。
【００６７】
コア１１ａ又は１１ｂを形成するアセンブリ、すなわち、支持体１９及び抵抗トラック上に配置される保護膜は、炉内での処理によって互いに固定されてもよい。
【００６８】
コア１１ａ又は１１ｂは、電気加熱手段１７を制御手段５を介して電位に接続するための２つの端子２５を更に備える。したがって、端子２５は、電流を電気加熱手段１７へ伝えることができる。
【００６９】
端子２５は、例えば制御手段５に対してクリップ留めされ得る可撓性舌部の形態を成して或いは例えば制御手段５上に半田付けされ得る接続配線の形態も成して形成されてもよい。
【００７０】
図３に示される例では、端子２５が支持体１９の基部２３から突出する。
【００７１】
端子２５は、例えば、支持体１９の−例えばセラミック−材料上にオーバーモールドされ、また、制御手段５に対して直接に接続されてもよい。これは、配線を簡略化する。したがって、支持体１９は、電気手段１７と制御手段５とを端子２５を介して相互に接続する機能を果たす。
【００７２】
そのため、コア１１ａ，１１ｂは、電気加熱手段１７を支持するとともに、端子を支持して保護することにより、電気加熱手段１７と制御手段５との間の接続を確保する機械的な機能と、流体ガイド回路１５ａ，１５ｂに対して電気加熱手段１７を電気的に絶縁する機能及び流体に対する電気加熱手段１７の熱の熱伝導率を確保する機能とを同時に果たす。
【００７３】
また、コア１１ａ，１１ｂを収容する筐体１３ａ，１３ｂのそれぞれに関して、第１のサーマルモジュール３ａの筐体１３ａは、第２のサーマルモジュール３ｂの筐体１３ｂと一体を成すように形成されてもよい。
【００７４】
したがって、図２において更に明確に分かるように、２つの筐体１３ａ，１３ｂは、関連するコア１１ａ又は１１ｂをそれぞれ受けるための２つの座部２９ａ，２９ｂを有する単一ブロック２７を形成する。
【００７５】
制御手段５に関して、それは、サーマルモジュール３ａ，３ｂのコア１１ａ，１１ｂの端子２５と対向して配置される。
【００７６】
したがって、図示の例によれば、制御手段５は、電気加熱手段１７を支持する支持体１９の長手方向端部にそれぞれ配置される基部２３と対向して配置される。そのため、この場合、制御手段５は、コア１１ａ，１１ｂの第１の端部と対向して配置される。
【００７７】
無論、例えば温度調節装置１の一方側で制御手段５の異なる配置を想起することができる。
【００７８】
制御手段５は、ＰＣＢ（プリント回路基板）３１などの少なくとも１つの電気回路基板を備えてもよい。２つのサーマルモジュール３ａ，３ｂのコア１１ａ，１１ｂの端子２５は、図３に示される例によれば、共通の制御手段５に対して、特に同じ電気回路基板３１に対して接続される。
【００７９】
制御手段５は、特に、電気回路基板３１に実装される電子構成要素及び／又は電気構成要素を備える。これらの電子構成要素及び／又は電気構成要素は、例えば、マイクロコントローラと、コア１１ａ，１１ｂの抵抗トラックに接続される電気接点とを備えてもよい。また、電気回路基板３１は少なくとも１つの給電・信号コネクタ３３を備えてもよい。
【００８０】
前述したように、温度調節装置１は、図３に白矢印により概略的に示される流体の流入のための少なくとも１つの流体入口７、及び、図３に黒矢印により概略的に示される流体を排出するための少なくとも１つの流体出口９も備える。
【００８１】
図示の例によれば、流体入口７は流体入口ハウジング３５を備える。
【００８２】
流体入口ハウジング３５は、筐体１３ａ，１３ｂに固定され、より正確には、この例では、２つのコア１１ａ，１１ｂを含む単一ブロック２７に固定される。１つ以上のシール手段３６が流体入口ハウジング３５と筐体１３ａ，１３ｂとの間に配置されてもよい（図３参照）。
【００８３】
また、２つのサーマルモジュール３ａ，３ｂのコア１１ａ，１１ｂのそれぞれの基部２３は、この例では、流体入口ハウジング３５に固定される。１つ以上のシール手段３７が、コア１１ａ，１１ｂの支持体１９の基部２３と流体入口ハウジング３５との間に配置されてもよい。
【００８４】
また、流体入口ハウジング３５には流体入口パイプ３８も設けられる。入口パイプ３８は、２つのサーマルモジュール３ａ，３ｂに共通して流体を供給してもよい。入口パイプ３８は、例えば、流体入口ハウジング３５から突出して配置される。入口パイプ３８は、例えばサーマルモジュール３ａ，３ｂの長手方向軸線Ａに対して径方向に延びる。
【００８５】
図示の例において、流体入口ハウジング３５は、入口パイプ３８と流体連通するとともに２つのサーマルモジュール３ａ，３ｂのガイド回路１５ａ，１５ｂと流体連通する流体入口ダクト３９を有する。これにより、流体は、図３に矢印により概略的に示されるように、入口パイプ３８からガイド回路１５ａ，１５ｂ内へ流れることができる。
【００８６】
温度調節装置１は、流体入口ハウジング３５に固定されるカバー４１を更に備える。制御手段５は、例えば、流体入口ハウジング３５とカバー４１との間に配置される。カバー４１は、制御手段５のための保護カバーとしての役目を果たす。このカバー４１は、例えば、給電・信号コネクタ３３の挿入を可能にするための開口を有する。
【００８７】
同様に、サーマルモジュール３ａ，３ｂのガイド回路１５ａ，１５ｂと流体連通する出口パイプ４３が流体を排出するために設けられてもよい。したがって、流体入口ハウジング３５からの流体は、流体入口ダクト３９に流入した後、２つのサーマルモジュール３ａ，３ｂのガイド回路１５ａ，１５ｂ内へと流れることができ、その後、出口パイプ４３を介して排出される。
【００８８】
図示の例において、出口パイプ４３は、サーマルモジュール３ａ，３ｂの長手方向軸線Ａに対して略垂直となるように配置される。
【００８９】
また、入口パイプ３８及び出口パイプ４３は、装置１の２つの正反対の側に配置されてもよい。無論、他の配置を想定することができ、その場合には、例えば、入口パイプ３８及び出口パイプ４３が装置１の同じ側に設けられる。
【００９０】
このようにして形成される温度調節装置１は、ヘッドロスを制限できるとともに、従来技術の解決策と比べて小さい体積を有するが、熱伝達を高める。実際に、例えば抵抗トラックの形態を成して実現される電気加熱手段１７により生み出される熱は、コア１１ａ又は１１ｂが浸漬される流体へ直接に伝えられる。
【００９１】
また、自動車両に設置中の例えば下から上へと向かう流体の共通の方向の平行な流れは、２つのサーマルモジュール３ａ，３ｂにおいて均一な流量を確保できるとともに、特に２つのサーマルモジュール３ａ，３ｂのガイド回路１５ａ，１５ｂ内での気泡の形成を回避できる。
【図１】
2016536197.tif 000003
【図２】
2016536197.tif 000004
【図３】
2016536197.tif 000005
【国際調査報告】
2016536197.tif 000006
2016536197.tif 000007
2016536197.tif 000008
2016536197.tif 000009